(57)【要約】【課題】搬送中における供給材料が他の部分に接触することを防止して、確実に目的部位に供給する。【解決手段】間隔をあけて配置される一対のフレーム７と、該フレーム７に掛け渡されるように取り付けられ、シート状の供給材料を搭載可能な搭載面９ａを有し、径方向に膨張可能なバルーン９と、該バルーン９に接続され、該バルーン９に対して送気および排気を行う送排気チューブ１０とを備え、バルーン９が、収縮した状態において、搭載面９ａをフレーム７によって形成される平面よりも凹んだ位置に配置可能であり、かつ、膨張した状態において、搭載面９ａを平面よりも突出した位置に配置可能である生体表面処置装置１を提供する。【選択図】図１
2013141530.tif 000002
【特許請求の範囲】
【請求項１】
間隔をあけて配置される一対のフレームと、
該フレームに掛け渡されるように取り付けられ、シート状の供給材料を搭載可能な搭載面を有し、径方向に膨張可能なバルーンと、
該バルーンに接続され、該バルーンに対して送気および排気を行う送排気チューブとを備え、
前記バルーンが、収縮した状態において、前記搭載面を前記フレームによって形成される平面よりも凹んだ位置に配置可能であり、かつ、膨張した状態において、前記搭載面を前記平面よりも突出した位置に配置可能である生体表面処置装置。
【請求項２】
前記バルーンの収縮状態において、前記フレームを離間させて、該フレーム間に配置される前記搭載面を広げる第１の位置と、前記フレームを近接させて、前記搭載面を前記フレームの構成する平面より低い位置に弛ませて配置する第２の位置との間で、前記フレームの間隔を調節可能な間隔調節機構を備える請求項１に記載の生体表面処置装置。
【請求項３】
前記フレームが、平行間隔をあけた２本の棒状部材である請求項２に記載の生体表面処置装置。
【請求項４】
前記フレームの長手方向の両端位置において前記搭載面から突出し、前記搭載面に搭載される供給材料の端部を突き当てるストッパを備える請求項３に記載の生体表面処置装置。
【請求項５】
前記フレームが、前記搭載面を取り囲む位置に取り付けられる４本のリンクを相互に揺動可能に連結してなる平行４節リンクを構成している請求項２に記載の生体表面処置装置。
【請求項６】
前記フレームが、前記バルーン内に進退させられるワイヤであり、前記バルーンの収縮状態において、前記ワイヤを前記バルーン内に繰り出して、該ワイヤ間に配置される前記搭載面を広げる第１の位置と、前記ワイヤを前記バルーン内から引き出して、前記搭載面を前記ワイヤの構成する平面より低い位置に弛ませて配置する第２の位置との間で進退可能である請求項１に記載の生体表面処置装置。
【請求項７】
前記フレームが、体内への挿入方向に交差する方向に近接または離間させられる請求項２から請求項６のいずれかに記載の生体表面処置装置。
【請求項８】
前記フレームが、体内への挿入方向に近接または離間させられる請求項２から請求項６のいずれかに記載の生体表面処置装置。
【発明の詳細な説明】
【技術分野】
【０００１】
本発明は、生体表面処置装置に関するものである。
【背景技術】
【０００２】
従来、薬剤を搬送して、血管等の管腔内面に放出する装置が知られている（例えば、特許文献１参照。）。
この装置は、折り目を有するバルーンの表面に薬剤を塗布し、収縮状態では、バルーンの一部が薬剤塗布部分を覆うようにして、挿入時における薬剤の散逸を防ぎ、膨張状態では、薬剤塗布部分を覆っていたバルーンの部分が開かれて、薬剤塗布部分が露出させられることにより、体腔の内面に対して薬剤を放出する。
【先行技術文献】
【特許文献】
【０００３】
【特許文献１】特表２０１１−５１３００４号公報
【発明の概要】
【発明が解決しようとする課題】
【０００４】
しかしながら、特許文献１の装置は、搬送する材料が、薬剤のように、薬剤塗布部分を覆っている側のバルーンに付着することが問題とならない材料を搬送することはできるが、細胞シートのように、搭載面以外の部分に接触すると接触した部分に接着してしまって、患部に供給することができなくなる材料の場合には、使用することができないという不都合がある。
【０００５】
本発明は上述した事情に鑑みてなされたものであって、搬送中における供給材料が他の部分に接触することを防止して、確実に目的部位に供給することができる生体表面処置装置を提供することを目的としている。
【課題を解決するための手段】
【０００６】
上記目的を達成するために、本発明は以下の手段を提供する。
本発明の一態様は、間隔をあけて配置される一対のフレームと、該フレームに掛け渡されるように取り付けられ、シート状の供給材料を搭載可能な搭載面を有し、径方向に膨張可能なバルーンと、該バルーンに接続され、該バルーンに対して送気および排気を行う送排気チューブとを備え、前記バルーンが、収縮した状態において、前記搭載面を前記フレームによって形成される平面よりも凹んだ位置に配置可能であり、かつ、膨張した状態において、前記搭載面を前記平面よりも突出した位置に配置可能である生体表面処置装置を提供する。
【０００７】
本態様によれば、送排気チューブを介してバルーン内の気体を排気することにより、バルーンを収縮状態とすると、フレームの間に掛け渡されたバルーンに設けられている搭載面がフレームによって形成される平面よりも凹んだ位置に配置される。したがって、この状態では、搭載面に搭載されているシート状の供給材料はフレームより凹んだ位置に配置される。したがって、この状態で患者の体内に挿入し目的の部位まで搬送しても、搬送中における供給材料はフレームによって、周囲の組織に接触しないように保護される。そして、目的部位においてバルーンを膨張させることにより、搭載面をフレームにより形成される平面よりも突出した位置に配置し、搭載面に対向している生体表面に供給材料を押し付けて貼付することができる。
【０００８】
上記態様においては、前記バルーンの収縮状態において、前記フレームを離間させて、該フレーム間に配置される前記搭載面を広げる第１の位置と、前記フレームを近接させて、前記搭載面を前記フレームの構成する平面より低い位置に弛ませて配置する第２の位置との間で、前記フレームの間隔を調節可能な間隔調節機構を備えていてもよい。
【０００９】
このようにすることで、フレームどうしを近接させることで、フレームを含むバルーン部分の外形寸法を小さくすることができ、挿入性を向上することができる。また、フレームどうしを離間させることで、フレーム間に配置されている搭載面に搭載された生体材料を生体表面に対して大きく露出させ、バルーンの膨張による生体表面への貼付を容易にすることができる。
【００１０】
また、上記態様においては、前記フレームが、平行間隔をあけた２本の棒状部材であってもよい。
このようにすることで、棒状部材からなるフレームを近接させると、全体として細長い形状に構成でき、挿入容易性を向上することができる。
【００１１】
また、上記態様においては、前記フレームの長手方向の両端位置において前記搭載面から突出し、前記搭載面に搭載される供給材料の端部を突き当てるストッパを備えていてもよい。
このようにすることで、棒状部材からなるフレーム間にＵ字状に撓んだ搭載面上に搭載されたシート状の供給材料が、搭載面上においてフレームの長手方向に移動した場合であっても、供給材料の端部が搭載面から突出しているストッパに突き当たるので、搭載面からの落下が防止され、目的とする部位まで安定的に搬送することができる。
【００１２】
また、上記態様においては、前記フレームが、前記搭載面を取り囲む位置に取り付けられる４本のリンクを相互に揺動可能に連結してなる平行４節リンクを構成していてもよい。
このようにすることで、搭載面が、該搭載面の四方を取り囲むリンクによって保護されるので、搭載面上の供給材料と外部の生体組織等との接触をより確実に防止することができる。また、平行４節リンクを構成する４本のフレームの相対角度を変化させることで、フレームを近接または離間させ、挿入容易性の高い細長い形態と、搭載面上の供給材料を露出させ易い広がった形態とを切り替えることができる。
【００１３】
また、上記態様においては、前記フレームが、前記バルーン内に進退させられるワイヤであり、前記バルーンの収縮状態において、前記ワイヤを前記バルーン内に繰り出して、該ワイヤ間に配置される前記搭載面を広げる第１の位置と、前記ワイヤを前記バルーン内から引き出して、前記搭載面を前記ワイヤの構成する平面より低い位置に弛ませて配置する第２の位置との間で進退可能であってもよい。
このようにすることで、フレームを近接あるいは離間させるための複雑な機構が不要であり、ワイヤのバルーン内への進退によって簡易にバルーンを第１の位置と第２の位置との間で変位させることができる。
【００１４】
また、上記態様においては、前記フレームが、体内への挿入方向に交差する方向に近接または離間させられてもよい。
このようにすることで、フレームを近接させることによって、体内への挿入方向に交差する方向の寸法を縮小し、体内への挿入性を向上することができる。
【００１５】
また、上記態様においては、前記フレームが、体内への挿入方向に近接または離間させられてもよい。
このようにすることで、フレームを近接させた状態で、バルーンが供給材料に対して体内への挿入方向前方に配置されるので、挿入時における供給材料の保護をより確実に行うことができる。
【発明の効果】
【００１６】
本発明によれば、供給材料を生体表面に貼付する処理を、簡易な操作で短時間に行うことができるという効果を奏する。
【図面の簡単な説明】
【００１７】
【図１】本発明の一実施形態に係る生体表面処置装置を示す全体構成図である。
【図２】図１の生体表面処置装置の先端部を示す図であり、（ａ）一対のフレームの間隔を狭めた状態、（ｂ）一対のフレームの間隔を広げた状態をそれぞれ示す部分的な拡大図である。
【図３】図２の先端部のフレームの間隔を調節する操作部に設けられたスライダと、生体表面処置装置に連結する操作ワイヤとの連結作業を説明する図であり、（ａ）連結前、（ｂ）連結途中、（ｃ）連結後の状態をそれぞれ示す部分的な縦断面図である。
【図４】図２の先端部において、（ａ）バルーンを収縮させ、かつ、フレーム間隔を広げて細胞シートを搭載したバルーンの搭載面を平坦に張った状態、（ｂ）バルーンを収縮させ、かつ、フレーム間隔を狭めて、細胞シートを搭載したバルーンの搭載面を弛ませた状態、（ｃ）フレーム間隔を広げ、かつ、バルーンを膨張させて細胞シートを目的部位に押し付ける動作をそれぞれ示す断面図である。
【図５】図１の生体表面処置装置の第１の変形例であって、先端部に２対のフレームを有する場合の、（ａ）バルーンを収縮させ、かつ、フレーム間隔を広げて細胞シートを搭載したバルーンの搭載面を平坦に張った状態、（ｂ）バルーンを収縮させ、かつ、フレーム間隔を狭めて、細胞シートを搭載したバルーンの搭載面を弛ませた状態をそれぞれ示す断面図である。
【図６】図５の先端部のフレーム間隔を広げ、かつ、バルーンを膨張させて細胞シートを目的部位に押し付ける動作を示す断面図である。
【図７】図１の生体表面処置装置の第２の変形例であって、先端部を構成するバルーンの搭載面以外の部分を肉厚に形成した場合の、（ａ）バルーンを収縮させ、かつ、フレーム間隔を広げて細胞シートを搭載したバルーンの搭載面を平坦に張った状態、（ｂ）バルーンを収縮させ、かつ、フレーム間隔を狭めて、細胞シートを搭載したバルーンの搭載面を弛ませた状態、（ｃ）フレーム間隔を狭め、バルーン内を負圧に吸引した状態、（ｄ）フレーム間隔を広げ、かつ、バルーンを膨張させて細胞シートを目的部位に押し付ける動作をそれぞれ示す断面図である。
【図８】図１の生体表面処置装置の第３の変形例であって、細胞シートの搭載面に細胞シートが滑り落ちることを防止する突起を設けた例を示す部分的な拡大図である。
【図９】図１の生体表面処置装置の第４の変形例であって、一対のフレームが平行な状態を維持せずに開閉する先端部を示す、（ａ）バルーンを収縮させ、かつ、フレーム間隔を広げて細胞シートを搭載したバルーンの搭載面を平坦に張った状態、（ｂ）バルーンを収縮させ、かつ、フレーム間隔を狭めて、細胞シートを搭載したバルーンの搭載面を弛ませた状態をそれぞれ示す部分的な拡大図である。
【図１０】図１の生体表面処置装置の第５の変形例であって、フレームとしてワイヤを採用した先端部において、（ａ）バルーンを収縮させ、かつ、フレーム間隔を広げて細胞シートを搭載したバルーンの搭載面を平坦に張った状態の平面図、（ｂ）（ａ）の側面図、（ｃ）バルーンを収縮させ、かつ、フレーム間隔を狭めて、細胞シートを搭載したバルーンの搭載面を弛ませた状態の側面図をそれぞれ示す図である。
【図１１】図１０の生体表面処置装置の変形例を示す平面図である。
【図１２】図１の生体表面処置装置の第５の変形例であって、フレームとして平行４節リンク構造を採用した先端部において、（ａ）バルーンを収縮させ、かつ、フレーム間隔を広げて細胞シートを搭載したバルーンの搭載面を平坦に張った状態、（ｂ）バルーンを収縮させ、かつ、フレーム間隔を狭めて、細胞シートを搭載したバルーンの搭載面を弛ませた状態をそれぞれ示す図である。
【図１３】図１２の生体表面処置装置において、平行４節リンク構造を構成する各リンク部材を円弧状の部材によって構成した先端部において、（ａ）バルーンを収縮させ、かつ、フレーム間隔を広げて細胞シートを搭載したバルーンの搭載面を平坦に張った状態、（ｂ）バルーンを収縮させ、かつ、フレーム間隔を狭めて、細胞シートを搭載したバルーンの搭載面を弛ませた状態をそれぞれ示す図である。
【発明を実施するための形態】
【００１８】
本発明の一実施形態に係る生体表面処置装置１について、図面を参照して以下に説明する。
まず、本実施形態に係る生体表面処置装置１は、図１に示されるように、内視鏡２の挿入部３に長手方向に沿って設けられた鉗子チャネル３ａを介して体内に挿入される細長い本体部４と、該本体部４の先端に設けられた先端部５と、本体部４の基端側に着脱可能に取り付けられる操作部６とを備えている。
【００１９】
本体部４は、中空のコイルにより構成されている。本体部４は、コイルによって構成されることにより、任意に湾曲できるとともに、操作部６からの長手軸回りの回転力を先端まで伝達できるようになっている。
【００２０】
先端部５は、間隔をあけて配置される一対のフレーム７と、該フレーム７を近接離間させるように移動させるフレーム駆動機構８と、フレーム７に掛け渡されるように取り付けられたバルーン９と、該バルーン９を膨張または収縮させるための空気の給排を行う送排気チューブ１０とを備えている。
【００２１】
フレーム７は、それぞれ直棒状に構成され、相互に平行な間隔をあけて配置されている。
フレーム駆動機構８は、一対のフレーム７に連結されたリンク部１１と、該リンク部１１に連結された操作ワイヤ１２とを備えている。
【００２２】
リンク部１１は、図２（ａ），（ｂ）に示されるように、第１のリンク部１１Ａと、第２のリンク部１１Ｂとを備えている。第１のリンク部１１Ａは、本体部４にベース部材１３を介して固定された固定軸１４に回転可能に連結された第１，第２のリンク部材１５，１６と、これら第１，第２のリンク部材１５，１６の一端に、一端が回転可能に連結されるとともに、他端が相互に回転可能に連結された第３，第４のリンク部材１７，１８とを備え、平行４節リンク構造を構成している。第１，第２のリンク部材１５，１６の他端には、それぞれ、フレーム７が回転可能に連結されている。
【００２３】
また、第２のリンク部１１Ｂは、前記固定軸４に回転可能に一端が連結された中間リンク部材１９と、該中間リンク１９の他端と、フレーム７の中間位置との間にそれぞれ回転可能に連結された２本の接続リンク部材２０，２１とを備えている。
操作ワイヤ１２は、その一端が、第３，第４のリンク部材１７，１８の連結点（以下、可動軸という。）２２に接続されている。
【００２４】
操作ワイヤ１２を挿入部３の基端側において引っ張ると、可動軸２２が固定軸１４に対して離間する方向に移動させられ、図２（ａ）に示されるように、平行４節リンク構造を構成している第１〜第４のリンク部材１５〜１８により形成された平行四辺形が潰れるように変形される。また、他の平行４節リンク構造を構成している第１，第２のリンク部材１５，１６、中間リンク部材１９および接続リンク部材２０，２１により形成された平行四辺形も潰れるように変形される。その結果、一対のフレーム７が略平行に維持されつつその間隔を近接させるように移動させられるようになっている。
【００２５】
一方、操作ワイヤ１２を挿入部３の基端側において押し出すと、可動軸２２が固定軸１４に対して近接する方向に移動させられ、図２（ｂ）に示されるように、平行４節リンク構造を構成している２つのリンク部１１Ａ，１１Ｂの平行四辺形が広がるように各リンク部材１５〜２１が変位させられ、一対のフレーム７が略平行に維持されつつその間隔を広げるように移動させられるようになっている。
【００２６】
バルーン９は、一対のフレーム７を部分的に内包するように配置され、フレーム７の間隔を広げると、図４（ａ）に示されるようにバルーン９も広げられて、一対のフレーム７間に弛みなく張られるようになっている。そして、この弛みなく張られたバルーン９の表面（搭載面９ａ）には、シート状の生体材料、例えば、細胞シートＡをキャリアＢとともに、例えば、水を間に介在させることによって接着状態に搭載することができるようになっている。
【００２７】
また、バルーン９は、一対のフレーム７の間隔を狭めると、図４（ｂ）に示されるように弛んで、フレーム７間に垂れ下がるようになっている。これにより、細胞シートＡを搭載したバルーン９の搭載面９ａは、一対のフレーム７の両方に接する平面Ｐよりも低く凹んだ位置に配置されるようになっている。
【００２８】
また、バルーン９は、図４（ａ）に示される状態から、送排気チューブ１０を介して空気を供給されることにより、図４（ｃ）に示されるように、細胞シートＡを搭載した搭載面９ａが凸状に膨らむまで膨張させられるようになっている。これにより、細胞シートＡを外側の組織表面に押し付けることができるようになっている。
送排気チューブ１０は、一端がバルーン９に開口し、他端が、内視鏡２の挿入部３の基端側に配置されるポート２３に開口している。
【００２９】
操作部６は、筒状の操作部本体２４と、該操作部本体２４に対して長手方向に移動可能に設けられたスライダ２５と、ポート２３に接続され、送排気チューブ１０に対して空気を供給または排気するためのシリンジ２６とを備えている。操作部本体２４には、挿入部３の基端側に固定可能な接続固定部２４ａが設けられている。また、該スライダ２５には、操作ワイヤ１２の基端側に設けられた連結部１２ａにワンタッチで着脱可能な着脱機構２７が設けられている。
【００３０】
連結部１２ａには、図３（ａ）に示されるように、操作ワイヤ１２の長手方向の途中位置に設けられ、半径方向に窪む凹部１２ｂが設けられている。一方、着脱機構２７は、図３（ａ）に示されるように、半径方向に移動可能にスライダ２５に取り付けられた押しボタン部材２７ａと、該押しボタン部材２７ａを半径方向外方に付勢するスプリング２７ｂとを備えている。
【００３１】
押しボタン部材２７ａには、連結部１２の先端を貫通させる貫通孔２７ｃと、連結部１２の凹部１２ｂに係合可能な係合部２７ｄとが設けられている。そして、図３（ａ）に示されるように、スプリング２７ｂの付勢力に抗して押しボタン部材２７ａを押した状態で、図３（ｂ）に示されるように、連結部１２を貫通孔２７ｃ内に貫通させた後に、図３（ｃ）に示されるように、押しボタン部材２７ａに加えた力を解除することにより、スプリング２７ｂによって押しボタン部材２７ａを連結部１２の半径方向に移動させる。これにより、係合部２７ｄが凹部１２ｂに係合して、操作ワイヤ１２とスライダ２５とがワンタッチで連結されるようになっている。
【００３２】
また、操作部６に設けられたシリンジ２６は、送排気チューブ１０を介してバルーン９内に接続されており、空気を押し込むことによりバルーン９を膨張させ、空気を引き出すことによりバルーン９を収縮させることができるようになっている。
【００３３】
このように構成された本実施形態に係る生体表面処置装置１の作用について以下に説明する。
本実施形態に係る生体表面処置装置１を用いて、患者の体内に配置されている患部に細胞シートＡを貼り付けるには、まず、内視鏡２の挿入部３の先端側から鉗子チャネル３ａ内に本体部４を挿入し、本体部４の一端に配されている連結部１２ａを挿入部３の基端側から突出させる。次いで、本体部４の端部に操作部本体２４を固定するとともに、操作部６のスライダ２５に操作ワイヤ１２の連結部１２ａを着脱機構２７によって連結する。
【００３４】
この状態で、操作部本体２４に対してスライダ２５を押し出して操作ワイヤ１２により第１のリンク部１１Ａを押して一対のフレーム７の間隔を最大限に広げ、図４（ａ）に示されるように、フレーム７間にバルーン９を弛みなく張った状態に配する。そして、キャリアＢに載せられた細胞シートＡの粘着面を表に向けて、キャリアＢ側がバルーン９の搭載面９ａに接触するように搭載する。搭載する際に、キャリアＢとバルーン９の搭載面９ａとの間に水を介在させることにより、水の表面張力によってキャリアＢをバルーン９に密着状態に維持する。
【００３５】
次いで、操作部本体２４に対してスライダ２５を引いて、操作ワイヤ１２を引っ張ることにより、第１のリンク部１１Ａを引いて、一対のフレーム７の間隔を最小限に狭め、図４（ｂ）に示されるように、フレーム７間にバルーン９を弛ませる。これにより、バルーン９の搭載面９ａに搭載されている細胞シートＡも、バルーン９とともにフレーム７に接する平面Ｐよりも凹んだ位置に配置され、フレーム７およびバルーン９によって囲まれる。
【００３６】
この状態で、先端部５および内視鏡２の挿入部３を体内に挿入し、内視鏡２によって体内の状態を確認しながら、細胞シートＡを貼り付ける目的の患部まで導入する。そして、先端部５が患部に隣接する位置まで到達した時点で、操作部６のスライダ２５を操作部本体２４に対して前方にスライドさせる。これにより、スライダ２５に連結された操作ワイヤ１２を介して第１のリンク部１１Ａの可動軸２２が固定軸１４に対して近接する方向に移動させられ、一対のフレーム７の間隔が図４（ａ）に示されるように広げられる。
【００３７】
そして、これにより、バルーン９が張られて、搭載面９ａに搭載されている細胞シートＡが目的の患部に対向する位置に露出させられるので、シリンジ２６によってバルーン９内に空気を送り込むことにより、図４（ｃ）に示されるようにバルーン９を膨張させ、バルーン９に搭載している細胞シートＡを患部近傍の組織に押し付けることができる。
【００３８】
すなわち、本実施形態に係る生体表面処置装置１によれば、患部に貼り付ける細胞シートＡのようなシート状の生体材料を、患部に到達するまでの間に、他の部位に接触させないように保護しながら搬送することができる。その結果、細胞シートＡを確実に目的部位に供給することができる
【００３９】
なお、本実施形態に係る生体表面処置装置１においては、フレーム７を２本一対の棒状部材により構成したが、これに代えて、図５および図６に示されるように、２対の棒状部材により構成してもよい。このようにすることで、図５（ｂ）に示されるように、搬送中における細胞シートが、４本のフレーム７によって取り囲まれるので、より確実に保護することができるという利点がある。また、フレーム７は３対以上設けてもよい。
【００４０】
また、本実施形態においては、均一な材料により構成されたバルーン９を例示したが、これに代えて、図７（ａ）に示されるように、細胞シートＡを搭載する搭載面９ａ部分を薄く、その他の部分を搭載面９ａ部分より厚く形成してもよい。このようにすることで、図７（ｂ）に示されるように、フレーム７の間隔を狭めると、フレーム７間に弛んだ搭載面９ａ部分がその他の肉厚部分９ｂによって取り囲まれる。これにより、より剛性の高い肉厚部分９ｂによって、搭載面９ａに搭載した細胞シートＡが保護される。
【００４１】
また、フレーム７の間隔を狭めた状態で、バルーン９内を負圧に吸引することにより、細胞シートＡを搭載した搭載面９ａ部分を肉厚部分９ｂの内側に収容状態に維持することができる。そして、このようにすることで、図７（ｃ）に示されるように、搭載面９ａを下向きにしても、細胞シートＡを搭載した搭載面９ａを肉厚部分９ｂの内側に収容状態に維持できる。したがって、先端部５よりも下側に配されている目的部位に対しても、図７（ｄ）に示されるように、バルーン９を反転させた状態でバルーン９を膨張させることにより、細胞シートＡを貼り付けることができる。
【００４２】
なお、バルーン９の搭載面９ａ部分のみを膨張させる方法としては、図７に示されるように搭載面９ａ以外の部分を剛性の高い肉厚部分９ｂとすることの他、搭載面９ａ部分以外の部分をワイヤやリム等の任意の手段によって、膨張あるいは収縮しないように補強することとしてもよい。
【００４３】
また、本実施形態においては、バルーン９の搭載面９ａとキャリアＢとの間に水を介在させて、水の表面張力によりキャリアＢおよび細胞シートＡをバルーン９に密着状態に維持することとしたが、この場合、バルーン９の搭載面９ａに沿う方向にキャリアＢが滑って移動することを制限することが困難な場合もある。そのような場合には、図８に示されるように、バルーン９の搭載面９ａの挿入方向前後の両端に、バルーン９の搭載面９ａから突出する突起２８を設け、移動するキャリアＢを突き当てることで、細胞シートＡが搭載面９ａから滑り落ちることを防止してもよい。
【００４４】
また、本実施形態においては、２つのフレーム７を略平行に維持したまま、その間隔を調節することとした。このために、第２のリンク部１１Ｂを設けたが、これに代えて、図９に示されるように、第２のリンク部１１Ｂをなくしてもよい。このようにすることで、フレーム７が開閉される際のフレーム７間の平行関係は維持されないが、上記実施例と同様に、フレーム７を近接させた際に、バルーン９をフレーム７間に弛ませて、バルーン９に搭載した細胞シートＡを保護しつつ搬送することができる。
【００４５】
図中、符号２９は、相互に突き当たることによりフレーム７の近接を制限するストッパである。また、このようにすることで、フレーム７を閉じた状態の挿入時の先端部５の形態が先細に構成されるので、挿入性を向上することができるという利点もある。
【００４６】
また、本実施形態においては、フレーム７として棒状部材を例示したが、これに代えて、図１０に示されるように、ワイヤ３０を採用してもよい。すなわち、図１０（ａ）に示されるように、バルーン９内にワイヤ３０を繰り出すことにより、バルーン９を広げて細胞シートＡを搭載する搭載面９ａを図１０（ｂ）に示されるように平坦に広げることができる。また、バルーン９内のワイヤ３０を挿入部３内に引き込むことによって、図１０（ｃ）に示されるようにバルーン９を収縮させて、ワイヤ３０間にバルーン９を弛ませ、細胞シートＡを保護することができる。
【００４７】
図中、符号３１は、バルーン９の先端近傍においてワイヤ３０を支持するための支持フレームであり、図１０に示す例では、開口部３１ａからバルーン９内に空気を送排気するための送排気チューブを兼ねている。
また、図１１に示されるようにバルーン９内にワイヤ３０を通過させる筒体３３を配置して、筒体３３によってバルーン９の形状を決定することにしてもよい。また、筒体３３は、バルーン９と一体的に構成されていてもよい。
【００４８】
また、本実施形態においては、細胞シートＡの搭載面９ａを挟んで間隔を空けた２本のフレーム７によってバルーン９を張られた状態と弛んだ状態とに切り替えることとしたが、これに代えて、図１２（ａ）に示されるように、細胞シートＡの搭載面９ａの４方を取り囲む平行４節リンク構造のフレーム３２を採用してもよい。
【００４９】
このようにすることで、図１２（ｂ）に示されるように、フレーム３２を折り畳んだ状態にすると、細胞シートＡの搭載面９ａの周囲が全周にわたってフレーム３２により取り囲まれるので、搬送する細胞シートＡをより確実に保護することができる。また、搭載面９ａから滑り落ちることも防止できるとともに、先端部５の先端を先細に構成して挿入性を向上することもできる。
また、平行４節リンク構造のフレーム３２は単一のものに限られず複数組、直列に連結してもよい。
【００５０】
また、上記平行４節リンク構造のフレーム３２は、各フレーム３２を円弧状部材によって構成することで、図１３（ａ）に示されるように、広げた状態で円形に近い搭載面９ａを構成することができ、細胞シートの様に円形状のシートを搬送する際、処置具が同じ大きさの場合、図１２と比較して搭載可能な面積が大きくなる。
また、本実施形態においては、搭載面９に搭載する生体材料として細胞シートＡを例示したがこれに限定されるものではない。
【００５１】
また、本実施形態においては、フレーム７を挿入方向に交差する方向に近接または離間させるフレーム駆動機構を例示したが、これに限定されるものではなく、挿入方向に近接または離間させるフレーム駆動機構を採用してもよい。
また、内視鏡２の鉗子チャネル３ａにセットして使用する場合について説明したが、これに限定されるものではなく、生体表面処置装置１を単体で使用してもよいし、硬性鏡にセットして使用してもよい。
【符号の説明】
【００５２】
Ａ  細胞シート（供給材料）
Ｐ  平面
１  生体表面処置装置
７  フレーム
８  フレーム駆動機構（間隔調節機構）
９  バルーン
９ａ  搭載面
１０  送排気チューブ
２８  突起（ストッパ）
３０  ワイヤ（フレーム）
３１  支持フレーム（送排気チューブ）
３２  フレーム（リンク）
【図１】
2013141530.tif 000003
【図２】
2013141530.tif 000004
【図３】
2013141530.tif 000005
【図４】
2013141530.tif 000006
【図５】
2013141530.tif 000007
【図６】
2013141530.tif 000008
【図７】
2013141530.tif 000009
【図８】
2013141530.tif 000010
【図９】
2013141530.tif 000011
【図１０】
2013141530.tif 000012
【図１１】
2013141530.tif 000013
【図１２】
2013141530.tif 000014
【図１３】
2013141530.tif 000015